(57)【要約】      （修正有）【課題】水道メータに漏水判定器を安定した状態で連結して漏水検査することの出来る連結機構を提供する。【解決手段】漏水判定器１は、内部に電気部品を収納する本体ケース２と、本体ケース２底面に、間隙を介して平行に対向配置し、垂直方向の中心線に対して、等角度に配置され、脚部先端が下面から突出した３本の脚部により本体ケース２底面に間隙を介して固定された支持板３と、この支持板３から突出する３本の脚部の先端を、漏水音を探知する感知部と、本体ケース２底面と支持板３との間隙に配設され、本体ケース２底面から支持板へと垂下するガイド５とからなり、加速度センサユニット１１は、ガイド５内に収納するとともに、間隙に加速度センサユニット１１が位置するように位置決めして固定する。【選択図】図１
2016200500.tif 000002
【特許請求の範囲】
【請求項１】
メータボックス内に配設され、表示面を覆う透明板とこの透明板を締結する水道メータヘッドリングとからなる水道メータ蓋を有する水道メータと、
この水道メータ蓋の上面に載置して漏水検査を行う漏水判定器と
からなる水道メータと漏水判定器との連結機構において、
前記漏水判定器は、内部に電気部品を収納するとともに、底面中央部に開口部を透設した本体ケースと、
この本体ケース底面と間隙を介して平行に対向配置するとともに、前記漏水判定器の垂直方向の中心線に対して、等角度に配置され、先端が下面から突出した３本の脚部により前記本体ケース底面に間隙を介して固定された支持板と、
この支持板から突出する前記３本の脚部先端を、前記水道メータの前記透明板に当接することにより、漏水音を探知可能な感知部と、
前記本体ケース底面と前記支持板との前記間隙に配設され、前記本体ケース底面から前記支持板へと垂下する内部が空洞のガイドとからなり、
前記電気部品の加速度センサユニットは、前記ガイド内に収納するとともに、前記支持板に当接した状態で前記本体ケース底面に平行に配置するとともに、垂直方向の中心線を、前記中心線と合致させ、且つ、前記間隙に加速度センサユニットが位置するように前記開口部に位置決めして固定し、
前記電気部品の電源ユニットは、前記本体ケースに収納するとともに、垂直方向の中心線を、前記漏水判定器の中心線と合致させ、且つ、前記加速度センサユニットの上方に平行に位置決めして前記本体ケースに固定し、
前記電気部品の回路基板ユニットは、垂直方向の中心線を、前記漏水判定器の中心線と合致させ、且つ、前記電源ユニットに平行に位置決めして本体ケースに固定して、前記漏水判定器の低重心化を図り、
漏水検査時には、この漏水判定器を前記水道メータ蓋上面に載置することにより、前記漏水判定器の３本の前記脚部先端が前記水道メータヘッドリングに内接した状態で前記水道メータと連結され、前記漏水判定器は安定した状態で前記水道メータに自立すること
を特徴とする水道メータと漏水判定器との連結機構。
【請求項２】
前記脚部は、前記中心線に対して外周方向に湾曲させたこと
を特徴とする請求項１に記載の水道メータと漏水判定器との連結機構。
【請求項３】
前記ガイドには、前記中心線に対して等角度に位置決めされたつば部を一体的に形成したこと
を特徴とする請求項１〜請求項２の何れかに記載の水道メータと漏水判定器との連結機構。
【請求項４】
メータボックス内に配設され、表示面を覆う透明板とこの透明板を締結する水道メータヘッドリングとからなる水道メータ蓋を有する水道メータと、
この水道メータ蓋の上面に載置して漏水検査を行う漏水判定器において、
電気部品を収納するとともに、底面中央部に開口部を透設し本体ケースと、
この本体ケース底面と間隙を介して平行に対向配置するとともに、前記漏水判定器の垂直方向の中心線に対して、等角度に配置され、先端が下面から突出した３本の脚部により前記本体ケースを有する支持板と、
前記本体ケース底面と前記支持板との前記間隙に配設され、前記本体ケース底面から前記支持板へと垂下するとともに、内部が空洞のガイドとからなり、
前記本体ケースは、内部底面から上方に向けて、順次、電気部品の電源ユニットと回路基板ユニットとを、垂直方向の中心線を合致させ、且つ、底面と平行に位置決めして収納するとともに、前記本体ケースに固定し、
前記支持板の下面から突出する前記３本の脚部先端を、漏水により発生する振動を探知する感知部とし、
前記ガイドは、内部に加速度センサユニットを収納するとともに、前記支持板に当接した状態で前記本体ケース底面に平行に配置し、垂直方向の中心線を、前記中心線と合致させ、且つ、前記間隙に前記加速度センサユニットが位置するように前記開口部に位置決めして固定することにより、前記漏水判定器の高さを制限するとともに、前記漏水判定器を低重心化し、
漏水検査時には、この漏水判定器を前記水道メータ蓋上面に載置することにより、前記漏水判定器の３本の前記脚部先端が前記水道メータヘッドリングに内接した状態で前記水道メータと連結され、前記漏水判定器は安定した状態で前記水道メータに自立すること
を特徴とする漏水判定器。
【請求項５】
前記脚部は、前記中心線に対して外周方向に湾曲させたこと
を特徴とする請求項４に記載の漏水判定器。
【請求項６】
前記ガイドには、前記中心線に対して等角度に位置決めされたつば部を一体的に形成したこと
を特徴とする請求項４〜請求項５の何れかに記載の漏水判定器。
【発明の詳細な説明】
【技術分野】
【０００１】
この発明は、水道メータの検針時に、漏水検査をするための漏水判定器と水道メータとの連結機構に関するもので、特に、水道メータに漏水判定器を安定した状態で連結して漏水検査することの出来る連結機構に関するものである。
【背景技術】
【０００２】
通常、図３（ａ）、（ｂ）に示すように、需要者に給水される水道水は、水道本管３１から分岐された配水管３２を経て、さらに、この配水管３２から分岐された給水管３３により需要者へ給水されている。配水管３２から給水管３３へと分岐する箇所には、水道メータ３４が接続されており、給水量（水道使用量）を計測することが出来るように構成されている。水道本管３１から水道メータ３４迄は、水道局の管轄下にあり、水道メータ３４から先の給水管３３以降の部分については水道メータ３４の所有者である需要者の管轄下にある。
【０００３】
水道メータ３４は、開閉自在な蓋体３５ａで覆われているメータボックス３５内に止水栓３６とともに、配設されており、計量された給水量は、水道メータ３４の表示部３４ａの表示面３４ｂに表示される。この表示面３４ｂは、その表面が埃や泥等で汚れないように、ガラスや合成樹脂等の透明な部材で形成されている透明板とこの透明板を締結する水道メータヘッドリング３４ｅとにより構成された水道メータ蓋３４ｃが取り付けられている。なお、この水道メータ蓋３４ｃに、さらに上蓋（図示せず）が開閉自在に取り付けられている形式のものもある。
【０００４】
国内における漏水は、各需要者へ水道水を供給するための給水管３２及び３３が敷設されている領域における漏水がほとんどである。しかしながら、給水管３３が敷設されている領域は、私有地であるため、漏水検査のためといえども許可なく私有地に入ることは出来ない。唯一私有地に許可なく入れるのは、水道検針員である。そこで、従来、水道の検針時に、給水管３３が敷設されている領域における漏水検査は、水道検針員により行われている。
【０００５】
水道検針員による水道の検針時に、漏水検査も同時に行う方法としては、漏水箇所から伝わってくる漏水音（音響振動）を音聴棒で聞き取る方法や、水道メータ３４の表示部３４ａの表示面３４ｂを覆う透明板上に、漏水検査するための相関式漏水探知器等を接触させて、漏水箇所から伝わってくる漏水音を検出する方法等がある。又、すべての水道メータ３４に漏水監視装置を取り付けて、漏水箇所から給水管３３に伝わる漏水音による特定の音響振動を検出するようにして、漏水を常時監視するようにした形式のものもある。
【０００６】
又、特許文献１に記載のものは、図４に示すように、配水管から需要家宅へ分岐された給水管に接続されて給水量（水道使用量）を計量する水道メータ５０本体に着脱可能に取り付けられており、この水道メータ５０本体の計量表示パネル部５１を開閉可能に覆う水道メータ蓋５２に、この水道メータ５０の本体から検出される漏水音による特定の音響振動に基づいて、給水管における漏水発生の可能性を判定する漏水判定手段と、その判定内容を外部へ出力する手段と、上記各手段の動作電源を供給する内臓電源５３を備えたものがある。
【先行技術文献】
【特許文献】
【０００７】
【特許文献１】特開２００４−１９１１３９号公報
【発明の開示】
【発明が解決しようとする課題】
【０００８】
漏水箇所から伝わってくる漏水音（音響振動）を音聴棒で聞き取る方法や、水道メータ３４の表示部３４ａの表示面３４ｂを覆う透明板上に、相関式漏水探知器等を接触させて、漏水箇所から伝わってくる漏水音を検出する方法等の場合、いずれの方法も周囲の騒音や不要な振動等（風の影響や手ぶれ等）による影響を受けるとともに、漏水を発見するには、検査する作業員の熟練を要し、正確に漏水を発見することは困難であった。その上、いずれも装置としては大型であり、水道検針員が持ち運ぶには、不便であるという問題があった。
【０００９】
その上、図３に示すように、漏水検査時に、水道メータ３４に直接接続して漏水しているか否かを判定する形式の相関式漏水探知器等は、上記したように、装置が大型であるとう問題点のほかに、この装置を用いて漏水検査する際、水道メータ３４とこの相関式漏水探知器とを連結するが、両者の連結状態が不安定であるとともに、操作も複雑である。そのため、水道検針時には、水道検針員は、片手で漏水検知器等を支えながら神経を集中して漏水検査しなければならず、水道検針員により簡単に、短時間で漏水検査するという事は困難であった。
【００１０】
又、相関式漏水探知器で漏水検査を行う場合、水道メータ３４の表示面３４ｂは、透明なガラス板３４ｄで覆われている。そのため、漏水検査する際には、このガラス板(透明板)３４ｄの表面にこの装置を載置して、このガラス面上に感知センサを接触させて漏水箇所からの音響振動を検出して漏水検査を行っている。しかしながら、ガラス板３４ｄは、非常に滑りやすく、その上、水道メータ３４の表示面３４ｂはすべてが水平に設置されているとは言えず、傾いている場合も多いため、水道メータ３４の表示面３４ｂを覆うメータ蓋３４ｃに置かれている漏水探知装置の安定性が非常に悪く、転倒しやすい。特に、風が吹いている場合には、さらに不安定となる。そのため、水道検針員は、漏水探知器を片手で支持しながら漏水検査を行わねばならず、非常に不安定で作業性が悪く、十分な漏水検査が出来ないという問題があった。
【００１１】
又、図４に示す特許文献１に記載のものは、膨大な数の各需要者宅に設置されている水道メータ５０本体それぞれに漏水監視機能つきの水道メータ蓋５２を取り付ける必要があり、作業負担が大きいだけでなく、膨大な数の水道メータ蓋５２の調達費用やその取付費用も膨大となる。その上、内蔵電源５３も一定期間ごとに交換しなければならず、その費用負担も大きいという問題があった。
【００１２】
この発明は、上記問題点を解決するためになされたもので、需要者は勿論のこと、全体として費用を出来るだけ抑制して、水道メータの検針時に、同時に漏水検査をすることが出来るとともに、漏水検査装置自体も持ち運びの負担とならない程度に小型軽量化し、漏水検査時には、水道メータと安定的に連結することの出来る漏水判定器を提供することを目的とするものである。
【課題を解決するための手段】
【００１３】
請求項１に係る発明は、メータボックス内に配設され、表示面を覆う透明板とこの透明板を締結する水道メータヘッドリングとからなる水道メータ蓋を有する水道メータと、この水道メータ蓋の上面に載置して漏水検査を行う漏水判定器とからなる水道メータと漏水判定器との連結機構において、漏水判定器は、内部に電気部品を収納するとともに、底面中央部に開口部を透設した本体ケースと、この本体ケース底面と間隙を介して平行に対向配置するとともに、漏水判定器の垂直方向の中心線に対して、等角度に配置され、先端が下面から突出した３本の脚部により本体ケース底面に間隙を介して固定された支持板と、この支持板から突出する３本の脚部先端を、水道メータの透明板に当接することにより、漏水音を探知可能な感知部と、本体ケース底面と支持板との間隙に配設され、本体ケース底面から支持板へと垂下する内部が空洞のガイドとからなり、電気部品の加速度センサユニットは、ガイド内に収納するとともに、支持板に当接した状態で本体ケース底面に平行に配置するとともに、垂直方向の中心線を、中心線と合致させ、且つ、間隙に加速度センサユニットが位置するように開口部に位置決めして固定し、電気部品の電源ユニットは、本体ケースに収納するとともに、垂直方向の中心線を、漏水判定器の中心線と合致させ、且つ、加速度センサユニットの上方に平行に位置決めして本体ケースに固定し、電気部品の回路基板ユニットは、垂直方向の中心線を、漏水判定器の中心線と合致させ、且つ、電源ユニットに平行に位置決めして本体ケースに固定して、漏水判定器の低重心化を図り、漏水検査時には、この漏水判定器を水道メータ蓋上面に載置することにより、漏水判定器の３本の脚部先端が水道メータヘッドリングに内接した状態で水道メータと連結され、漏水判定器は安定した状態で水道メータに自立することを特徴とする水道メータと漏水判定器との連結機構である。
【００１４】
請求項２に係る発明は、請求項１に記載の発明において、脚部は、中心線に対して外周方向に湾曲させたものである。
【００１５】
請求項３に係る発明は、請求項１〜請求項２の何れかに記載の発明において、ガイドには、中心線に対して等角度に位置決めされたつば部を一体的に形成したものである。
【００１６】
請求項４に係る発明は、メータボックス内に配設され、表示面を覆う透明板とこの透明板を締結する水道メータヘッドリングとからなる水道メータ蓋を有する水道メータと、この水道メータ蓋の上面に載置して漏水検査を行う漏水判定器において、電気部品を収納するとともに、底面中央部に開口部を透設し本体ケースと、この本体ケース底面と間隙を介して平行に対向配置するとともに、漏水判定器の垂直方向の中心線に対して、等角度に配置され、先端が下面から突出した３本の脚部により本体ケースを有する支持板と本体ケース底面と支持板との間隙に配設され、本体ケース底面から支持板へと垂下するとともに、内部が空洞のガイドとからなり、本体ケースは、内部底面から上方に向けて、順次、電気部品の電源ユニットと回路基板ユニットとを、垂直方向の中心線を合致させ、且つ、底面と平行に位置決めして収納するとともに、本体ケースに固定し、支持板の下面から突出する３本の脚部先端を、漏水により発生する振動を探知する感知部とし、ガイドは、内部に加速度センサユニットを収納するとともに、支持板に当接した状態で本体ケース底面に平行に配置し、垂直方向の中心線を、中心線と合致させ、且つ、間隙に加速度センサユニットが位置するように開口部に位置決めして固定することにより、漏水判定器の高さを制限するとともに、漏水判定器を低重心化し、漏水検査時には、この漏水判定器を水道メータ蓋上面に載置することにより、漏水判定器の３本の脚部先端が水道メータヘッドリングに内接した状態で水道メータと連結され、漏水判定器は安定した状態で水道メータに自立することを特徴とする漏水判定器である。
【００１７】
請求項５に係る発明は、請求項４に記載の発明において、脚部は、中心線に対して外周方向に湾曲させたものである。
【００１８】
請求項６に係る発明は、請求項４〜請求項５の何れかに記載の発明において、ガイドには、中心線に対して等角度に位置決めされたつば部を一体的に形成したものである。
【発明の効果】
【００１９】
請求項１及び請求項４に係る発明は、上記のように構成したので、漏水判定器に支持板３が取り付けられているとともに、漏水による振動音を感知する感知部となっている漏水判定器の３本の脚部先端が、水道メータヘッドリング３４ｅ（図３参照）に内接して堅固に保持されるので、漏水判定器１と水道メータ３４との連結状態は非常に安定する。又、水道メータ３４の表示面３４ｂを覆う透明板が、滑りやすいガラス板であっても、又、水道メータ３４が傾いた状態であっても、漏水判定器１を水道メータ３４のガラス面に安定的に自立した状態で、連結することが出来る。
【００２０】
又、漏水判定器１の内部には、加速度センサユニット１１や電源ユニット１２等の重い部品を漏水判定器１の本体ケース２の下部に配置することにより漏水判定器１の重心を低くすることが出来る。また、加速度センサユニット１１を、本体ケース２底面と支持板３との間隙８に配置するとともに、回路基板１３を本体ケース２の底面と平行に配置することにより、漏水判定器の高さを低くして、水道メータ３４の表示面３４ｂに設置した漏水判定器１の安定性を良くしている。その上、加速度センサユニット１１が収納されているガイド５や本体ケース２の支持板３も重量があり、漏水判定器１の重心をさらに低くする効果がある。
【００２１】
さらに、漏水判定器１の高さを低くすることにより、メータボックス３５内に収まるようにすることが出来るので、漏水判定器と水道メータ３４とを連結した状態において、風等の吹いている状態であっても、その影響を受けることもなく、安定性が向上する。
【００２２】
請求項２及び請求項５に係る発明は、上記のように構成したので、請求項１及び請求項４に記載の発明と同様な効果が得られる。さらに、漏水判定器１の脚部９と水道メータ３４の水道メータヘッドリング３４ｅとの連結状態がさらに堅固となり、漏水判定器１と水道メータ３４との連結状態の安定性をさらに向上させることが出来る。
【００２３】
請求項３及び請求項６に係る発明は、上記のように構成したので、請求項１〜請求項２及び請求項４〜請求項５に記載の発明と同様な効果が得られる。さらに、ガイドのつば部により漏水判定器１の重心をさらに低くする効果があり、漏水判定器１と水道メータ３４との連結状態の安定性をさらに向上させることが出来る。
【図面の簡単な説明】
【００２４】
【図１】この発明の実施例を示すもので、この発明による漏水判定器１の断面図である。
【図２】この発明の実施例を示すもので、この発明による漏水判定器１の外形図で、（ａ）は上面図、（ｂ）は正面図、（ｃ）は底面図、（ｄ）は右側面図、（ｅ）はパネル面１４ａの要部拡大図である。
【図３】従来例を示すもので、（ａ）は水道管の配管状態を示す説明図、（ｂ）は水道メータの表示部の上面図である。
【図４】従来例を示すもので、漏水監視機能付水道メータ蓋で、（ａ）は要部上面図、（ｂ）は側断面図である。
【発明を実施するための形態】
【００２５】
メータボックス内に配設され、表示面を覆う透明板とこの透明板を締結する水道メータヘッドリングとからなる水道メータ蓋を有する水道メータと、この水道メータ蓋の上面に載置して漏水検査を行う漏水判定器とからなる水道メータと漏水判定器との連結機構において、漏水判定器は、内部に電気部品を収納するとともに、底面中央部に開口部を透設した本体ケースと、この本体ケース底面と間隙を介して平行に対向配置するとともに、漏水判定器の垂直方向の中心線に対して、等角度に配置され、先端が下面から突出した３本の脚部により本体ケース底面に間隙を介して固定された支持板と、この支持板から突出する３本の脚部先端を、水道メータの透明板に当接することにより、漏水音を探知可能な感知部と、本体ケース底面と支持板との間隙に配設され、本体ケース底面から支持板へと垂下する内部が空洞のガイドとからなり、電気部品の加速度センサユニットは、ガイド内に収納するとともに、支持板に当接した状態で本体ケース底面に平行に配置するとともに、垂直方向の中心線を、中心線と合致させ、且つ、間隙に加速度センサユニットが位置するように開口部に位置決めして固定し、電気部品の電源ユニットは、本体ケースに収納するとともに、垂直方向の中心線を、漏水判定器の中心線と合致させ、且つ、加速度センサユニットの上方に平行に位置決めして本体ケースに固定し、電気部品の回路基板ユニットは、垂直方向の中心線を、漏水判定器の中心線と合致させ、且つ、電源ユニットに平行に位置決めして本体ケースに固定して、漏水判定器の低重心化を図り、漏水検査時には、この漏水判定器を水道メータ蓋上面に載置することにより、漏水判定器の３本の脚部先端が水道メータヘッドリングに内接した状態で水道メータと連結され、漏水判定器は安定した状態で水道メータに自立することを特徴とする水道メータと漏水判定器との連結機構である。
脚部は、中心線に対して外周方向に湾曲させたものであり、ガイドには、中心線に対して等角度に位置決めされたつば部を一体的に形成したものである。
【実施例１】
【００２６】
この発明の第１の実施例を、図１〜図２及び図３に基づいて詳細に説明する。
図１〜図２は、この発明の実施例を示すもので、図１はこの発明による漏水判定器１の断面図、図２はこの発明による漏水判定器１の外形図である。図２（ａ）は上面図で、表示部１４のパネル面１４ａを示しており、（ｂ）は正面図、（ｃ）は底面図、（ｄ）は右側面図、（ｅ）はパネル面１４ａの要部拡大図である。
【００２７】
図３に示すように、水道メータ３４は、従来から使用されている通常の水道メータで、地中に埋設されているメータボックス３５内に止水栓３７とともに、配設されている。水道メータ３４の表示部３４ａの表示面３４ｂは、メータ蓋３４ｃにより覆われている。このメータ蓋３４は、ガラス等の透明部材で形成されている円形の透明板３４ｄとこの透明板３４ｄを締結する水道メータヘッドリング３４ｅとにより構成されている。水道メータヘッドリング３４ｅは、透明板３４ｄの表面から、その一部が突出した構造となっている。
【００２８】
図１〜図２に示すように、漏水判定器１は、矩形状の本体ケース２と、円形の支持板３と、この支持板３を本体ケース２にネジ止め固定するとともに、漏水判定器１の脚部９を構成する３本のボルト４及びナット４ａと、後述する加速度センサユニット１１が収納され、これを保護するための円筒状のガイド５とにより構成されている。
【００２９】
又、本体ケース２は、電気部品を収納するためのもので、上端開口部は蓋７により開閉可能に覆われており、底面中央部には、開口部６が透設されている。支持板３は、本体ケース２の底面に平行に対向配置するとともに、垂直方向の中心線Ａを中心として等角度（１２０度）に放射状に位置決めされている３組のボルト４及びナット４ａとにより、間隙８を介して本体ケース２の底面にネジ止め固定されている。従って、３組のボルト４及びナット４ａは、漏水判定器１の３本の脚部９を構成している。この脚部９の先端は、支持板３から下方に突出している。そのため、漏水判定器１と水道メータ３４とが連結した状態では、脚部９の先端は、水道メータ３４の表示面３４ｂを覆うガラス板３４ｄに当接して、漏水による振動を検出するための感知部１０となっている。
【００３０】
なお、この実施例では、支持板３は、円形であるが、この形状に限定されるものではなく、四角形、五角形等の多角形状であっても良く、垂直方向の中心線Ａに対して水平方向のバランスの取れた形状であればよい。
【００３１】
この実施例では、漏水判定器１の脚部９を、ボルトとナット（高ナット）により構成しているので、必要に応じて３本の脚部９の高さを調整することが出来る。
【００３２】
なお、この実施例では、ボルト４とナット（高ナット）４ａにより脚部９を構成しているが、これに限定されるものではない。例えば、可撓性のある部材により脚部を形成しても良い。この場合には、３本の脚部９を中心線から外周方向に湾曲した状態に形成すると、漏水判定器１と水道メータ３４との連結は、脚部９が直線状に直立した状態の場合より安定する。
【００３３】
本体ケース２と支持板３との間隙８には、内部が空洞のガイド５が本体ケース２の底面から支持板３方向へと垂下した状態で配設され、ガイド５の一端は、本体ケース２の底面に透設されている開口部６の端部に位置決め固定され、ガイド５の他端は、開放状態となっている。さらに、ガイド５の外壁には、垂直方向の中心線Ａに対して、放射状に等角度に位置決めされ、一体的に伸びる鍔部５ａが形成されている。なお、この実施例では、本体ケース２とガイド５及びその鍔部５ａとは一体的に形成されているが、これに限定されるものではなく、それぞれ別部品を互いに接合して形成しても良い。
【００３４】
このガイド５内には、漏水判定器１の電気部品のなかで、比較的重量のある加速度センサユニット１１が収納されている。この加速度センサユニット１１の一端は、本体ケース２の底面の開口部６から、間隙８に突出した状態でガイド５の内壁にケース１１ａを介して固定されており、加速度センサユニット１１の他端は、支持板３に当接した状態で位置決め保持されている。なお、加速度センサユニット１１の垂直方向の中心線は、垂直方向の中心線Ａと合致するように位置決めされている。
【００３５】
即ち、加速度センサユニット１１は、ガイド５内に収納され、本体ケース２の底面と支持板３との間に位置している間隙８に配置された状態となっている。従って、本体ケース２の垂直方向の高さ（長さ）を大幅に短縮することが出来るとともに、漏水判定器１全体としての重心が低くなり、従来品に比べて、水道メータ３４と漏水判定器１との連結状態を安定させることが出来る。
【００３６】
又、漏水検査するために、漏水判定器１と水道メータ３４とを連結した場合、両者は全体としてメータボックス３５内に収まる程度の高さとなる。そのため、漏水検査時に風の影響を受けることもなく、漏水判定器１と水道メータ３４とが連結した状態での安定性はさらに増大する。
【００３７】
なお、この実施例の場合、ガイド５の形状は、円筒状であるが、これに限定されるものではなく、断面が四角形、五角形等の多角形でもよく、内部に加速度センサユニット１１を収納可能であり、且つ、垂直方向の中心線Ａに対して水平方向のバランスが取れる形状であれば、いかなる形状であっても良い。又、ガイド５の部材として、重量の大な部材を用いた場合には、漏水編定器１の重心をさらに下げることが出来ので、その漏水判定器１と水道メータ３４とを連結したときの安定性が増大する。
【００３８】
次に、漏水判定器１の電気部品のなかで、重量が最大である電源ユニット１２は、本体ケース２に収納され、加速度センサユニット１１の上方に、互いの垂直方向の中心線Ａを合致させつつ平行に重ねた態に位置決めされて本体ケース２に固定されている。従って、漏水判定器１の重心は、さらに低くなる。又、電気部品の回路基板ユニット１３は、電源ユニット１２と加速度センサユニット１１との垂直方向の中心線Ａと合致させつつ平行に位置決めして本体ケース２の蓋７側に収納され、固定されている。従って、従来、垂直方向に配設されていた回路基板を、水平方向に配設したので、大幅に本体ケースの高さを短縮することが出来るとともに、重心も低くなる。
【００３９】
蓋７は、本体ケース２の上端開口部を覆うとともに、図２（ａ）に示すように、表示部１４が配設されている。従って、蓋７には、表示部１４のパネル面１４ａ及び各種の表示ランプ用ホール１４ｂに対向する箇所は、透設されてホールが形成されているとともに、これらのホールには、ＬＥＤ等の表示灯が配設されている。
【００４０】
漏水検査の結果は、例えば、この実施例の場合には、図２（ｄ）に示すように、漏水の疑わしさを３段階の水滴マーク１５で表示している。又、操作スイッチ１６をオンすることにより、“測定中”及び“終了”等の表示１７をカラーＬＥＤにより表示するように構成されている。なお、この実施例では、表示部１４には、液晶表示器が用いられている。
【００４１】
ＵＳＢコネクタ１８は、防水のコネクタカバーとともに本体ケース２の右側面に設けられている。このＵＳＢコネクタ１８により、漏水検査の結果を外部の機器（ＰＣ等）に出力可能とするとともに、漏水判定器１のファームウェアの更新や電源ユニット１２の充電を可能としている。
【００４２】
次に、漏水判定器１を用いて漏水検査する際の作用動作について、図１〜図３に基づいて説明する。
【００４３】
まず、水道メータ３４の検針を行う。水道検針員は、メータボックス３５の蓋体３５ａを開け、次いで、水道メータ３４の表示面３４ｂに表示されている数値（水道使用量）等を読みとる。この行為により、水道の検針は終了する。
【００４４】
次いで、漏水検査に移行する。漏水判定器１を水道メータ３４の表示面３４ｂを覆う水道メータ蓋３４ｃのガラス板３４ｄ上に載置する。この際、漏水判定器１の３本の脚部９の先端は、水道メータヘッドリング３４ｅに内接した状態で漏水判定器１と水道メータ３４は連結されている。上記したように、漏水判定器１の本体ケース２と支持板３との間に間隙８を介在させ、この間隙８に比較的重量の大きい加速度センサユニット１１が位置するように配設されているとともに、本体ケース２内では最も重量の大きい電源ユニット１２を本体ケース２の底面近傍に配設されているので、漏水判定器１の重心は、従来品に比べて非常に低いものとなっている。その上、３本の感知部１０となっている脚部９の先端部分は、ガラス板３４ｄの表面から突出している水道メータヘッドリング３４ｅに堅固に内接した状態となっている。従って、３本の脚部９により漏水判定器１は、水道メータ３４のメータ蓋３４ｃのガラス板３４ｄ面に、安定した状態で自立させることが出来るので、漏水判定器１と水道メータ３４との連結機構は、非常に安定する。
【００４５】
又、上記したように、間隙８に比較的重量の大きい加速度センサユニット１１が位置するように配設するとともに、回路基板ユニット１３も本体ケース２に平行に配置されているので、漏水判定器１の垂直方向の高さも低くなるように設計されている。従って、漏水判定器１と水道メータ３４とが連結された状態であっても、メータボックス３５内に収まるので、風の影響を受けることはなく、さらに安定性は向上する。
【００４６】
この状態で、水道検針員は、操作スイッチ１６をオンし、表示部１４のパネル面１４ａを読み取る。この際、漏水箇所がある場合には、漏水判定器１により漏水音が検出され、その結果がパネル面１４ａに、漏水の疑わしさを示す３段階の水滴マーク１５のいずれかで表示される。また、この結果は、ＵＳＢコネクタ１８あるいは内蔵したBlue toothを介して外部の機器（ＰＣ等）に出力可能となっている。
【産業上の利用可能性】
【００４７】
この発明は、水道検針員の検針時に、漏水検査も同時に行うことが出来るので、全国に敷設されている水道メータに利用可能である。
【符号の説明】
【００４８】
１                          漏水判定器
２                          漏水判定器１の本体ケース
３                          支持板
５                          ガイド
５ａ                        ガイド５のつば部
８                          間隙
９                          脚部
１０                        感知部
１１                        加速度センサユニット
１２                        電源ユニット
１３                        回路基板ユニット
３４                        水道メータ
３４ｂ                      水道メータ３４の表示面
３４ｃ                      水道メータ３４のメータ蓋
３４ｄ                      水道メータ３４のガラス板
３４ｅ                      水道メータ３４の水道メータヘッドリング
Ａ                          漏水判定器１の垂直方向の中心線
【図１】
2016200500.tif 000003
【図２】
2016200500.tif 000004
【図３】
2016200500.tif 000005
【図４】
2016200500.tif 000006